【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
複数のモジュール側面（３０４）を有する宇宙機（１４６）のモジュール構造（３０２）と、
前記宇宙機（１４６）の中心を上端から下端へ貫いて延在する、前記宇宙機（１４６）の長手軸（１１６）に沿って延在する唯一の閉断面（１２０）である、中央シリンダ（１５０）と、
同一平面上になく、互いに離間し、前記中央シリンダ（１５０）の向かい合う側面と接続され、その長手軸が前記宇宙機（１４６）の前記長手軸（１１６）と平行である、１対の剛体パネル（３１４）と、
を備える、宇宙機（１４６）。
【請求項２】
前記中央シリンダ（１５０）内に収納された推進剤タンク（２２０）をさらに備える、請求項１に記載の宇宙機（１４６）。
【請求項３】
前記モジュール構造（３０２）が、開放側面（３０８）を含み、前記開放側面（３０８）にわたって延在する１つまたは複数の剛体部材がない、請求項１または２に記載の宇宙機（１４６）。
【請求項４】
開放側面（３０８）の少なくとも一部を覆う少なくとも１つの非剛体クローズアウト（３１０）をさらに備える、請求項３に記載の宇宙機（１４６）。
【請求項５】
前記モジュール構造（３０２）が、少なくとも１つの前記剛体パネル（３１４）を前記中央シリンダ（１５０）に接続する垂直せん断パネル（３４０）を含む、請求項１から４のいずれか一項に記載の宇宙機（１４６）。
【請求項６】
前記モジュール構造（３０２）が、前記モジュール構造（３０２）の両端に取り付けられた上端パネル（３２６）および下端パネル（３３０）を含み、
前記剛体パネル（３１４）のそれぞれが、前記上端パネル（３２６）と前記下端パネル（３３０）との間に延在してそれらを相互に接続している、請求項１から５のいずれか一項に記載の宇宙機（１４６）。
【請求項７】
前記モジュール側面（３０４）のうちの少なくとも１つに接続された少なくとも１つのアンテナ（３７０）をさらに備える、請求項１から６のいずれか一項に記載の宇宙機（１４６）。
【請求項８】
前記モジュール側面（３０４）のうちの少なくとも１つに接続された少なくとも１つの太陽電池パネル（３５４）をさらに備える、請求項１から７のいずれか一項に記載の宇宙機（１４６）。
【請求項９】
前記モジュール側面（３０４）のうちの少なくとも１つに含まれた略平面状の熱放射パネル（３２０）をさらに備える、請求項１から８のいずれか一項に記載の宇宙機（１４６）。
【請求項１０】
宇宙機（１４６）を組み立てる方法であって、
複数のモジュール側面（３０４）を有する宇宙機（１４６）のモジュール構造（３０２）を用意するステップと、
前記宇宙機（１４６）の中心を上端から下端へ貫いて、前記宇宙機（１４６）の長手軸（１１６）に沿って延在する唯一の閉断面（１２０）である中央シリンダ（１５０）を延在させるステップと、
同一平面上になく、互いに離間し、その長手軸が前記宇宙機（１４６）の前記長手軸（１１６）と平行である１対の剛体パネル（３１４）を、前記中央シリンダ（１５０）の向かい合う側面と接続するステップと、
を含む、方法。
【請求項１１】
垂直せん断パネル（３４０）を使用して少なくとも１つの前記剛体パネル（３１４）を前記中央シリンダ（１５０）に接続するステップと、
前記モジュール構造（３０２）の両端に上端パネル（３２６）および下端パネル（３３０）を取り付けるステップと、
前記上端パネル（３２６）および前記下端パネル（３３０）を少なくとも１つの前記剛体パネル（３１４）と相互に接続するステップとをさらに含む、請求項１０に記載の方法。
【手続補正２】
【補正対象書類名】明細書
【補正対象項目名】００６１
【補正方法】変更
【補正の内容】
【００６１】
本開示のさらなる修正および改善が当業者には明らかになるであろう。したがって、本明細書において説明されかつ図示された部品の具体的な組合せは、本開示の特定の実施形態のみを表すように意図されたものであって、本開示の精神および範囲内の代替的な実施形態またはデバイスを限定するものとして機能するように意図されたものではない。
下記の条項は、本開示のさらなる態様を記載する。
条項１．
複数のモジュール側面（３０４）を有する宇宙機（１４６）のモジュール構造（３０２）と、
前記宇宙機（１４６）の中心を貫いて延在する中央シリンダ（１５０）とを備え、
前記中央シリンダ（１５０）が、前記宇宙機（１４６）の長手軸（１１６）に沿って延在する唯一の閉断面（１２０）である、宇宙機（１４６）。
条項２．
前記中央シリンダ（１５０）内に収納された推進剤タンク（２２０）をさらに備える、条項１に記載の宇宙機（１４６）。
条項３．
前記モジュール構造（３０２）が、前記中央シリンダ（１５０）の両側上に位置決めされて前記モジュール側面（３０４）の向かい合った対を閉塞する離間した１対の剛体パネル（３１４）を含む、条項１または２に記載の宇宙機。
条項４．
前記モジュール構造（３０２）が、開放側面（３０８）を含み、前記開放側面（３０８）を横切って延在する１つまたは複数の剛体部材がない、条項１から３のいずれか一項に記載の宇宙機（１４６）。
条項５．
開放側面（３０８）の少なくとも一部を覆う少なくとも１つの非剛体クローズアウト（３１０）をさらに備える、条項４に記載の宇宙機（１４６）。
条項６．
前記モジュール構造（３０２）が、剛体パネル（３１４）を前記中央シリンダ（１５０）に接続する垂直せん断パネル（３４０）を含む、条項１から５のいずれか一項に記載の宇宙機（１４６）。
条項７．
前記モジュール構造（３０２）が、前記モジュール構造（３０２）の両端に取り付けられた上端パネル（３２６）および下端パネル（３３０）を含み、
前記剛体パネル（３１４）のそれぞれが、前記上端パネル（３２６）と前記下端パネル（３３０）との間に延在してそれらを相互接続している、条項１から６のいずれか一項に記載の宇宙機（１４６）。
条項８．
前記モジュール側面（３０４）のうちの少なくとも１つに接続された少なくとも１つのアンテナ（３７０）をさらに備える、条項１から７のいずれか一項に記載の宇宙機（１４６）。
条項９．
前記モジュール側面（３０４）のうちの少なくとも１つに接続された少なくとも１つの太陽電池パネル（３５４）をさらに備える、条項１から８のいずれか一項に記載の宇宙機（１４６）。
条項１０．
前記モジュール側面（３０４）のうちの少なくとも１つに含まれた全体的に平面状の熱放射パネル（３２０）をさらに備える、条項１から９のいずれか一項に記載の宇宙機（１４６）。
条項１１．
宇宙機（１４６）を組み立てる方法であって、
複数のモジュール側面（３０４）を有する宇宙機（１４６）のモジュール構造（３０２）を用意するステップと、
前記宇宙機（１４６）の中心を貫いて中央シリンダ（１５０）を延在させるステップとを含み、
前記中央シリンダ（１５０）が、前記宇宙機（１４６）の長手軸（１１６）に沿って延在する唯一の閉断面（１２０）である、方法。
条項１２．
前記中央シリンダ（１５０）の両側に離間した１対の剛体パネル（３１４）を位置決めするステップと、
前記剛体パネル（３１４）を用いて前記モジュール側面（３０４）の向かい合った対を閉塞するステップとをさらに含む、条項１１に記載の方法。
条項１３．
垂直せん断パネル（３４０）を使用して剛体パネル（３１４）を前記中央シリンダ（１５０）に接続するステップと、
前記モジュール構造（３０２）の両端に上端パネル（３２６）および下端パネル（３３０）を取り付けるステップと、
前記上端パネル（３２６）および前記下端パネル（３３０）を少なくとも１つの剛体パネル（３１４）と相互接続するステップとをさらに含む、条項１１または１２に記載の方法。